(57)【要約】      （修正有）【課題】気化放熱方式でありながら、従来の気化放熱型温泉水冷却装置に比べて、温泉水の酸化還元電位の低下を図ることができる気化放熱型温泉水冷却システムを提供する。【解決手段】この気化放熱型温泉水冷却システム１０は、入浴適温より高温の源泉水を気化および放熱の作用により冷却して減温温泉水とする気化放熱型温泉水冷却装置１１と、湧出した源泉水を大気から遮断した状態で浴槽１２に引き湯する源泉水給湯路１３と、該源泉水給湯路１３の途中部分と上記気化放熱型温泉水冷却装置１１の湯出口とを連通し、かつ該湯出口から排出された減温温泉水を、大気との遮断状態で上記源泉水給湯路１３に引き込む減温温泉水混入路１５とを備える。【選択図】図１
0003198279.tif 000002
【実用新案登録請求の範囲】
【請求項１】
入浴適温より高温の源泉水を気化および放熱の作用により冷却して減温温泉水とする気化放熱型温泉水冷却装置と、
湧出した源泉水を大気から遮断した状態で浴槽に引き湯する源泉水給湯路と、
該源泉水給湯路の途中部分と上記気化放熱型温泉水冷却装置の湯出口とを連通し、かつ該湯出口から排出された減温温泉水を、大気との遮断状態で上記源泉水給湯路に引き込む減温温泉水混入路とを備えた気化放熱型温泉水冷却システム。
【請求項２】
上記気化放熱型温泉水冷却装置は、植物の枝部分を、該枝部分の長さ方向が水平面を基準にして傾斜状態で並列した枝条架と、該枝条架の上へと源泉水を散布する温泉水散布手段とを有し、
上記減温温泉水混入路の途中部分に、大気から遮断され、かつ上記減温温泉水混入路を流れる減温温泉水を路外に引き出して冷却後、再び路内に戻す減温温泉水冷却用バイパス路の両端を、上記減温温泉水混入路の長さ方向に離間して連通し、
上記源泉水給湯路のうち、上記減温温泉水冷却用バイパス路の各端との連通部分に、一対の自動切替え弁を配設し、
上記源泉水給湯路の下流部または上記浴槽の源泉水引き湯部分に、減温温泉水を混入した源泉水の酸化還元電位を計測する酸化還元電位計を設け、
該酸化還元電位計からの計測信号に基づき得られた計測値が、あらかじめ記憶部に登録されている上記減温温泉水を混入した源泉水の酸化還元電位の上限値を超えた時、上記温泉水散布手段に対して上記枝条架に散布される源泉水の量を増やす指令を送信するとともに、上記一対の自動切替え弁に対して、減温温泉水が上記減温温泉水冷却用バイパス路に流入する側へ切り替える指令を送信する制御手段を設けた請求項１に記載の気化放熱型温泉水冷却システム。
【考案の詳細な説明】
【技術分野】
【０００１】
この考案は気化放熱型温泉水冷却システム、詳しくは高温の温泉水（源泉水）から気化熱を奪うとともに大気との熱交換を行うことで冷却する気化放熱型温泉水冷却システムに関する。
【背景技術】
【０００２】
火山性温泉では、一般的に入浴適温より高い水温の源泉水を湧出する。そのため、湧出した源泉水に加水して薄めるか、源泉水を溜め置きして放熱させるか、冷却水（地下水や水道水など）との熱交換を行うことで、適温とし、これを入浴に用いていた。
しかしながら、水で薄める場合には源泉水の有効成分（温泉成分）が希釈され、この温泉成分による効能が低下する。また、溜め置きの場合には入浴適温にまで冷却するには長時間を要し、非能率的である。さらに、熱交換の場合には、冷却水が必要で冷却のためのランニングコストが高騰していた。
【０００３】
そこで、これらの不具合を解消する従来技術として、例えば特許文献１の「温泉水冷却装置」が知られている。特許文献１に記載の装置は、気化放熱型の冷却装置であって、竹や木などの植物の枝部分を、その長さ方向が水平面を基準にして傾斜した状態で並べた枝条架を備えている。この装置では、入浴適温より高温の源泉水をこの枝条架の上へ散布し、源泉水が枝条架を伝い落ちる際に気化や放熱の作用によって冷やされ、この冷やされた源泉水を貯湯槽に溜め置いて入浴に使用する。装置運転時には、温泉水散布手段により高温の源泉水を枝条架の上部に連続的に散布することによって、源泉水が枝部分を伝い落ち、その後、枝の先端部から分散して滴下する。その結果、源泉水から気化熱が奪われるとともに、大気との間で熱交換されることで源泉水が冷やされる。
【先行技術文献】
【特許文献】
【０００４】
【特許文献１】実用新案登録第３１１２９７１号公報
【考案の概要】
【考案が解決しようとする課題】
【０００５】
このように特許文献１の「温泉水冷却装置」は気化放熱方式を採用したため、源泉水を薄めずに比較的短時間で冷やすことができる。さらに、構造が簡単で、耐腐食性能を得やすく、かつ冷却水を要せず、低コスト化も図れるという利点を有している。
しかしながら、この従来装置では、気化放熱方式の機構上、空気との接触を避けることができない。そのため、源泉水の酸化がある程度進行し、源泉水の酸化還元電位が上昇していた。
ここでいう酸化還元電位とは、源泉水に含まれたすべての元素や化合物の酸化力、還元力を測定する指標であり、水素イオン（Ｈ＋）の水溶液濃度を示すｐＨとは異なる。近年、酸化還元電位は、源泉水の新鮮さを評価するものとして注目を集めている。
【０００６】
源泉水は、湧出する前の地下にある源泉状態では還元系、すなわち源泉水の平衡ＯＲＰ（ＯＲＰｅｑ）値より酸化還元電位が低い状態にある。しかしながら、源泉水が地上に湧出し、大気中の酸素と接触することにより徐々に酸化され、時間とともに平衡系に近づき、最終的には地上の水などと同レベルの酸化還元電位となる。
温泉水の効能の研究において、新鮮な温泉水（源泉水）が有する還元力が人間の皮膚に作用し、老化を防止する、いわゆるアンチエージング効果が得られるという仮説が立てられ、近年はそれを裏付ける研究報告が、散見される（例えば、大河内正一、水野博、草深耕太、石原義正、甘露寺奏雄（１９９８）；温泉水のエージング指標としての酸化還元電位、温泉科学、４８，２９−３５など）。すなわち、浴用の温泉水では、温泉水の鮮度を保つこと、すなわち酸化還元電位を湯口から湧出した直後の低い状態のままで維持することの重要性が高まりつつある。
こうした状況下では、源泉水が空気と接触してしまう気化放熱型温泉水冷却装置にあっても、できるだけ酸化還元電位を低い値に抑えることが課題となっている。
【０００７】
そこで、考案者は鋭意研究の結果、気化放熱型温泉水冷却装置によって冷やされた源泉水（温泉水）を浴槽に給湯する前に、大気と接触させることなく、源泉水と混ぜ合わせるように構成すれば、気化放熱方式を採用しているにも拘わらず、従来の冷却装置に比べて温泉水の酸化還元電位を低く維持できることを知見し、この考案を完成させた。
【０００８】
この考案は、気化放熱方式でありながら、従来のものに比べて温泉水の酸化還元電位の上昇を抑制することができる気化放熱型温泉水冷却システムを提供することを目的としている。
【課題を解決するための手段】
【０００９】
請求項１に記載の考案は、入浴適温より高温の源泉水を気化および放熱の作用により冷却して温泉水とする気化放熱型温泉水冷却装置と、湧出した源泉水を大気から遮断した状態で浴槽に引き湯する源泉水給湯路と、この源泉水給湯路の途中部分と上記気化放熱型温泉水冷却装置の湯出口とを連通し、この湯出口から排出された上記温泉水を、大気との遮断状態で上記源泉水給湯路に引き込む温泉水混入路とを備えた気化放熱型温泉水冷却システムである。
【００１０】
請求項１に記載の考案によれば、入浴適温より高温の源泉水は、気化放熱型温泉水冷却装置において、気化および放熱の作用により冷却されて温泉水となる。その後、この温泉水は、大気から遮断された温泉水混入路を通過し、源泉水給湯路の途中部分に引き込まれる。これにより、上記温泉水は源泉水給湯路の中で源泉水と混ざり合い、ここで熱交換が行われ、源泉水は冷やされる。
このとき、源泉水給湯路および温泉水混入路は大気から遮断されていることから、源泉水は浴槽に到達するまで空気中の酸素と接触せず、その酸化還元電位は湯口から湧出した当初の値とさほど変わらない。また、温泉水も温泉水混入路に流入後は、源泉水給湯路の途中部分を経て浴槽に流入されるまでの間、空気との接触がない。これにより、温泉水の酸化還元電位は、温泉水混入路に流入した直後の値と略同じとなる。
【００１１】
以上のことから、空気と接触するのは、源泉水に温泉水が混合された源泉水全体のうちの一部（冷却装置での温泉水）のみであるため、酸化還元電位の上昇は限定的なものとなる。その結果、浴槽に引き込まれる温泉水（源泉水）の全量を、気化放熱型温泉水冷却装置からの冷やされた温泉水とした従来の場合に比べて、浴槽の中の適温温泉水の酸化還元電位を低下させることができる。これにより、新鮮な温泉水（源泉水）が有している還元力が入浴者の皮膚に作用し、老化を防止するというアンチエージングの効果を期待することができる。
【００１２】
ここでいう気化放熱型温泉水冷却システムとは、気化放熱型温泉水冷却装置を本体とし、入浴適温より高温の源泉水に、気化放熱型温泉水冷却装置により得られた冷やされた温泉水を加えることで、酸化還元電位をさほど高めることなく浴槽へ給湯するシステムである。
入浴適温とは３６℃〜４２℃、好ましくは３８℃〜４０℃である。
高温の源泉水とは、入浴適温を超える源泉水、例えば８０℃〜１００℃の源泉水をいう。
気化放熱型温泉水冷却装置の構造は限定されない。供給された高温の源泉水を気化や放熱の作用によって冷却することができればよい。例えば、従来装置である枝条架を本体としたものを採用することができる。気化放熱型温泉水冷却装置には冷やされた温泉水を排出する湯出口が形成されている。
【００１３】
ここでいう「冷やされた温泉水」とは、供給される源泉水と同一成分で、かつ気化放熱型温泉水冷却装置により温度が低下した源泉水（温泉水）である。
「源泉水を大気から遮断する」とは、源泉水が大気（空気）中の酸素と接触しないように大気から隔離している状態をいう。
源泉水給湯路および冷やされた温泉水混入路としては、源泉水（冷やされた温泉水）を空気と接触しない略密閉の状態で通流可能な構造の通路であれば、任意素材のものを採用することができる。例えば、金属管、プラスチック管、セメント（セラミックス）管、木管などである。
ここでいう「源泉水給湯路の途中部分」とは、源泉水給湯路が延びる方向における一部分（例えばその下流側部分）である。
【００１４】
請求項２に記載の考案は、上記気化放熱型温泉水冷却装置は、植物の枝部分を、この枝部分の長さ方向が水平面を基準にして傾斜した状態で並列に配設した枝条架と、この枝条架の上へ源泉水を散布する温泉水散布手段とを有し、上記温泉水混入路の途中部分に、大気から遮断され、かつ上記温泉水混入路を流れる冷やされた温泉水をこの流路外に引き出して冷却後、再びこの流路内に戻す減温温泉水冷却用バイパス路の両端を、上記温泉水混入路の延びる方向において離間した位置にてそれぞれ連通し、上記源泉水給湯路のうち、上記減温温泉水冷却用バイパス路の各端との連通部分に、一対の自動切替え弁をそれぞれ配設し、上記源泉水給湯路の下流部または上記浴槽の源泉水引き湯部分に、冷やされた温泉水を混入した源泉水の酸化還元電位を計測する酸化還元電位計を設け、この酸化還元電位計からの計測信号に基づき得られた計測値が、あらかじめ記憶部に登録（記憶）されている上記冷やされた温泉水を混入した源泉水の酸化還元電位の上限値を超えた時、上記温泉水散布手段に対して上記枝条架に散布される源泉水の量を増やす指令を送信するとともに、上記一対の自動切替え弁に対して、冷やされた温泉水が上記減温温泉水冷却用バイパス路に流入する側へ切り替える指令を送信する制御手段を設けた請求項１に記載の気化放熱型温泉水冷却システムである。
【００１５】
請求項２に記載の考案によれば、源泉水給湯路の下流部または浴槽の源泉水引き湯部分において、酸化還元電位計を使用し、冷やされた温泉水を混入した源泉水の酸化還元電位を計測する。その計測信号は制御手段に送信され、冷やされた温泉水を混入した源泉水の酸化還元電位値が求められる。
この値が、あらかじめ記憶部に登録された酸化還元電位の上限値を超えていれば、制御手段の指令に基づき、温泉水散布手段から枝条架の上に散布される源泉水の量が増やされるとともに、一対の自動切替え弁が、減温温泉水冷却用バイパス路に冷やされた温泉水を流入する側へ切り替えられる。これにより、枝条架からの源泉水の落下速度がはやまって空気と源泉水との接触時間が短くなり、冷やされた温泉水の酸化還元電位の上昇を抑えることができる。さらには、温泉水混入路を流れる冷やされた温泉水が減温温泉水冷却用バイパス路に流入し、このバイパス路を通過して再び冷やされた温泉水が温泉水混入路に戻るまでの間に放熱される。そのため、枝条架の上に散布される源泉水の量が増やされ、高温化した上記温泉水を冷却することができる。
その結果、何らかの原因によって冷やされた温泉水を混入した源泉水の酸化還元電位が高まっても、源泉水の温度を高めることなく、自動的にそれの酸化還元電位を低下させることができる。
【００１６】
枝条架の一部を構成する枝条の素材としては、例えば竹や各種の木の枝を採用することができる。
枝条架とは、従来装置に適用された気化放熱方式により源泉水を冷却する装置で、源泉水が枝条の上に散布されて枝の先から滴下して行く間に、気化作用および大気への放熱作用により源泉水を冷却するものである。
温泉水散布手段の構造は任意である。例えば、源泉水を枝条架の上方まで揚水する揚水管と、枝条架の上方に配置されて、長尺な枝条に対して温泉水を均一に散布する樋やノズル管を有したものなどを採用することができる。また、揚水管には、必要により揚水ポンプを設けてもよい。
減温温泉水冷却用バイパス路としては、冷やされた温泉水が空気と接触しないほぼ密閉された状態で流通可能な通路であって、例えば、上述した源泉水給湯路および温泉水混入路の素材として列挙したもののうち、何れかの素材からなるものを採用することができる。
【００１７】
減温温泉水冷却用バイパス路とは、冷やされた温泉水を減温温泉水混入路に通したときに比べて、放熱によりこの温泉水の温度が低下する流路である。例えば、減温温泉水混入路より長い流路（パイプ）や、流路の周壁（パイプ壁）に、多数の冷却フィンを配設したものなどを採用することができる。また、必要により熱交換器を配置してもよい。
減温温泉水冷却用バイパス路が連通される減温温泉水混入路の途中部分は任意である。例えば、一端（温泉水流入側の端）が減温温泉水混入路の上流部に連通され、他端（温泉水流出側の端）が減温温泉水混入路の下流部に連通されてもよい。
【００１８】
自動切替え弁としては、例えば、各種の三方弁を採用することができる。弁体駆動方式としては、例えば電動式、エア作動式、油圧駆動式を採用することができる。
酸化還元電位計の種類は限定されない。例えば、各種の金属電極を有するものを採用することができる。
酸化還元電位計が配置される箇所は、源泉水給湯路の下流部でもよいし、浴槽の源泉水引き湯部分でもよい。ここでいう「浴槽の源泉水引き湯部分」とは、浴槽の内部空間であって、温度調整された源泉水が浴槽に流入する部分をいう。
「冷やされた温泉水を混入した源泉水」とは、源泉水給湯路と減温温泉水混入路との連通部分より下流にあって、冷やされた温泉水が混ざって温度低下した源泉水をいう。
【００１９】
ここでいう「酸化還元電位の上限値」とは、例えば、源泉水の全量を気化放熱型温泉水冷却装置により冷却した冷やされた温泉水とした場合の酸化還元電位と同じまたはそれに近い値である。
制御手段としては、演算制御装置（ＣＰＵ）および記憶部（メモリ）を有したものを採用することができる。
【考案の効果】
【００２０】
請求項１に記載の考案によれば、気化放熱型温泉水冷却装置を使用し、入浴適温より高温の源泉水を気化および放熱の作用により冷却して冷やされた温泉水とし、その後、大気から遮断された減温温泉水混入路を通って上記温泉水が源泉水給湯路の途中部分に引き込まれる。これにより、この温泉水は源泉水給湯路の中で源泉水と混ざり合い、熱交換によって源泉水が冷却される。
このとき、源泉水給湯路および減温温泉水混入路は大気から遮断されていることから、源泉水は浴槽に到達するまで空気中の酸素と接触せず、その酸化還元電位は湯口から湧出した当初の値とさほど変わらない。一方、冷やされた温泉水も減温温泉水混入路に流入後は、源泉水給湯路の途中部分を経て浴槽に投入されるまでは空気と接触しない。そのため、この温泉水の酸化還元電位は、冷やされた温泉水が減温温泉水混入路に流入した直後の値と略同じである。
以上のことから、空気と接触するのは浴槽に引き込まれる温泉水の一部のみであるため、酸化還元電位の上昇は限定的なものとなる。その結果、浴槽に引き込まれる温泉水の全量を、気化放熱型温泉水冷却装置からの温泉水とした従来の場合に比べて、浴槽の中の冷やされた温泉水を混入した源泉水（適温源泉水）の酸化還元電位を低下させることができる。これにより、新鮮な温泉水（源泉水）が有している還元力が入浴者の皮膚に作用し、老化を防止するというアンチエージングの効果を期待することができる。
【００２１】
請求項２に記載の考案によれば、源泉水給湯路の下流部または浴槽の源泉水引き湯部分において、酸化還元電位計を使用し、冷やされた温泉水を混入した源泉水の酸化還元電位を計測する。その計測信号は制御手段に送信され、この温泉水を混入した源泉水の酸化還元電位値が得られる。
この値が、あらかじめ記憶部に登録された酸化還元電位の上限値を超えていれば、制御手段の指令に基づき、温泉水散布手段から枝条架に散布される源泉水の量を増加させるとともに、一対の自動切替え弁が、減温温泉水冷却用バイパス路にこの温泉水が流入する側へ切り替えられる。これにより、枝条架からの源泉水の落下速度が高まって、空気と源泉水との接触時間が短くなる一方、減温温泉水混入路を流れる温泉水が減温温泉水冷却用バイパス路に流入し、このバイパス路を通過して再び減温温泉水混入路に戻るまでの間に減温温泉水の熱が放熱される。そのため、枝条架に散布される源泉水の量を増やして高温化した減温温泉水を、冷却することができる。
その結果、何らかの原因で減温温泉水を混入した源泉水の酸化還元電位が高まっても、その源泉水の温度を高めることなく、自動的にその酸化還元電位を低下させることができる。
【図面の簡単な説明】
【００２２】
【図１】この考案の実施例１に係る気化放熱型温泉水冷却システムの全体構成図である。
【図２】この考案の実施例１に係る気化放熱型温泉水冷却システムの構成体の一部である気化放熱型温泉水冷却装置の斜視図である。
【図３】この考案の実施例２に係る気化放熱型温泉水冷却システムの全体構成図である。
【図４】この考案の実施例２に係る気化放熱型温泉水冷却システムの制御手段のブロック図である。
【考案を実施するための形態】
【００２３】
以下、この考案の実施例を具体的に説明する。
【実施例】
【００２４】
図１において、１０はこの考案の実施例１に係る気化放熱型温泉水冷却システム（以下、温泉水冷却システム）で、この温泉水冷却システム１０は、入浴適温より高温（１００℃）のかけ流しの源泉水を気化および放熱の作用により冷却して３６℃の減温温泉水（冷やされた温泉水）とする気化放熱型温泉水冷却装置（以下、冷却装置）１１と、地上の湧出口から湧出した源泉水を、大気から遮断した状態で浴槽１２に引き湯する長尺な源泉水給湯管（源泉水給湯路）１３と、源泉水給湯管１３の中間部分（途中部分）と冷却装置１１の湯出口１４とを連通し、かつ湯出口１４から排出された減温温泉水を、大気との遮断状態で源泉水給湯管１３に引き込む減温温泉水混入管（減温温泉水混入路）１５とを備えている。
【００２５】
以下、これらの構成体を具体的に説明する。
図２に示すように、冷却装置１１は、多数の竹枝１６ａを、その長さ方向が水平面を基準にして傾斜した状態で横一列に並べた前後３対の枝条１６を、縦長な門形の架台１７に同一間隔で３段配置した枝条架１８と、入浴適温より高温の源泉水を最上段の枝条１６の上へと散布する温泉水散布手段１９と、枝条架１８の直下に配置され、かつ源泉水が枝条架１８を伝い落ちながら気化や放熱の作用によって冷やされた減温温泉水を貯留する減温貯湯槽２０とを備えている。
【００２６】
枝条１６は、多数の竹枝１６ａの上端部が横長な木棒２１の全長にわたって、家屋の軒のように傾斜した状態で固定されたものである。各段の枝条１６は、同一高さに配置された前後一対のものが、架台１７の左右両側の支柱２２の間に横架される。そのため、各段に対配置された枝条１６は、側面視すればハの字となる。各段において、木棒２１間の距離は下段のものほど徐々に大きくなっている。
架台１７は、左右一対の支柱２２と、両支柱２２の上端を連結する上枠材２３とを有している。
温泉水散布手段１９は、源泉水を枝条架１８の上方まで揚水する揚水管２４と、揚水管２４に設けられた揚水ポンプ２５と、枝条架１８の上枠材２３の上面に固定されて、最上段の枝条１６に対して温泉水を均一に散布する樋２６とを有している。樋２６の前後の上縁には、その全長にわたって源泉水を均一な流量で流下する多数の筋溝２７が所定ピッチで形成されている。
【００２７】
図１および図２に示すように、減温貯湯槽２０は、枝条架１８から流れ落ちた冷温温泉水を受ける平面視して矩形状の浅い容器である。架台１７の両支柱２２の下端部が、減温貯湯槽２０の底板２０ａの前後方向の中間部に固定されている。減温貯湯槽２０の周側板２０ｂの下端部には湯出口１４が形成されている。
源泉水給湯管１３と減温温泉水混入管１５とは金属からなり、源泉水給湯管１３の下流部には、浴槽１２への給湯量を調整する手動式の給湯量調整弁２８が設けられている。また、減温温泉水混入管１５の源泉水給湯管１３との連通部分には、手動式の流量調整弁２９が設けられている。流量調整弁２９の開度を変更することで、浴槽１２の中の源泉水の温度を調整することができる。
【００２８】
次に、図１および図２を参照して、この考案の実施例１に係る温泉水冷却システム１０の運転方法を説明する。
図１に示すように、揚水ポンプ２５を駆動し、揚水管２４を通して高温の源泉水を枝条架１８の上部に配置された樋２６に連続的に揚水する。これにより、樋２６の上縁からあふれた高温の源泉水は、各筋溝２７を介して、樋２６の全長にわたり均一な流量で、最上段の前後一対の枝条１６の上部に連続的に散布される。その後、高温の源泉水は、各段に配置された前後一対の枝条１６の竹枝を伝い落ち、竹枝１６ａの先端部から分散して滴下する。その結果、表面積が大きくなった高温の源泉水から気化熱が奪われるとともに、大気と熱交換されることで源泉水が冷やされる。
【００２９】
得られた減温温泉水は減温貯湯槽２０に溜まり、その後、湯出口１４から減温温泉水混入管１５を通って源泉水給湯管１３の中間部分に引き込まれることで、源泉水給湯管１３の中で高温の源泉水と混ざり合う。その結果、高温の源泉水と減温温泉水との間で熱交換が行われ、源泉水が冷やされる。
このとき、源泉水給湯管１３および減温温泉水混入管１５が大気から遮断されているため、源泉水は浴槽１２に到達するまで大気中の酸素と接触せず、その酸化還元電位は湧出口から湧出した当初の源泉水の値とさほど変わらない。一方、減温温泉水も減温温泉水混入管１５に流入後は、源泉水給湯管１３の途中部分を経て浴槽１２に投入されるまで空気と接触しない。その結果、減温温泉水の酸化還元電位は、減温温泉水が減温温泉水混入管１５に流入した直後の値と略同一となる。
以上のことから、浴槽１２に引き込まれる温泉水の全量を気化放熱型温泉水冷却装置１１からの減温温泉水とした従来装置の場合に比べて、浴槽１２の中の減温温泉水を混入した源泉水（適温源泉水）の酸化還元電位を低下させることができる。これにより、この源泉水に入浴することで、新鮮な温泉水（源泉水）が有する還元力が入浴者の皮膚に作用し、老化を防ぐというアンチエージングの効果が期待される。
その後、減温温泉水が混入された源泉水は、源泉水給湯管１３の下流部を通って、浴槽１２に給湯される。その給湯量は、給湯量調整弁２８の開度を変更することで調整することができる。
【００３０】
次に、図３および図４を参照して、この考案の実施例２に係る気化放型温泉水冷却システムを説明する。
図３に示す温泉水冷却システム１０Ａは、減温温泉水混入管１５の中間部（途中部分）に、大気から遮断され、かつ減温温泉水混入管１５を流れる減温温泉水を路外に引き出して冷却後、再び路内に戻す減温温泉水冷却用バイパス管（減温温泉水冷却用バイパス路）３０の両端を、減温温泉水混入管１５の長さ方向に離間して連通し、源泉水給湯管１３のうち、減温温泉水冷却用バイパス管３０の各端との連通部分に、一対の電動切替え弁（自動切替え弁）３１，３１Ａを配設し、源泉水給湯管１３の下流部に、減温温泉水を混入した源泉水の酸化還元電位を計測する酸化還元電位計３２を設け、酸化還元電位計３２からの計測信号に基づき得られた計測値が、あらかじめ記憶部３３（図４）に登録されている減温温泉水を混入した源泉水の酸化還元電位の上限値を超えた時、揚水ポンプ２５に対して枝条架１８に散布される源泉水の量を増やす指令を送信するとともに、一対の電動切替え弁３１，３１Ａに対して、減温温泉水が減温温泉水冷却用バイパス管３０に流入する側へ切り替える指令を送信する制御手段３４を有した点を特徴とする。
【００３１】
以下、これらの構成体を具体的に説明する。
減温温泉水冷却用バイパス管３０は金属管で、減温温泉水混入管１５の約２倍の長さを有し、減温温泉水冷却用バイパス管３０を減温温泉水が通過するあいだに、放熱により減温温泉水が冷却されるように構成している。この減温温泉水冷却用バイパス管３０には、その全長にわたって多数の冷却フィンを配設してもよい。減温温泉水冷却用バイパス管３０の上流端は、減温温泉水混入管１５の中間部に連通され、減温温泉水冷却用バイパス管３０の下流端は、減温温泉水混入管１５の中間部のうち、上流端の連通部分より下流に連通されている。
酸化還元電位計３２は、源泉水給湯管１３の下流側の開口付近に取り付けられている。その電極には銀・塩化銀電極が採用されている。
【００３２】
図４のブロック図に示すように、制御手段３４は、演算制御装置３５と、記憶部（ＲＡＭ）３３とを有している。記憶部３３には、減温温泉水を混入した源泉水の酸化還元電位の上限値が登録されている。また、演算制御装置３５の入力ポートには、記憶部３３、酸化還元電位計３２が接続されている。演算制御装置３５の出力ポートには、揚水ポンプ２５および電動切替え弁３１，３１Ａが接続されている。
【００３３】
次に、図３および図４を参照して、この考案の実施例２に係る温泉水冷却システム１０Ａの運転方法を説明する。
図３に示すように、源泉水給湯管１３の下流部において、減温温泉水を混入した源泉水の酸化還元電位を酸化還元電位計３２により計測する。その計測信号は制御手段３４の演算制御装置３５に送信され、減温温泉水を混入した源泉水の酸化還元電位値が求められる。この値が、記憶部３３に登録された酸化還元電位の上限値を超えていれば、演算制御装置３５の指令に基づき、揚水ポンプ２５の出力が高まり、樋２６から枝条架１８の上に散布される源泉水の量が増やされる。
これと同時に、一対の電動切替え弁３１，３１Ａが、減温温泉水冷却用バイパス管３０に減温温泉水を流入する側へ切り替えられる。これにより、枝条架１８からの源泉水の落下速度が高まって空気と源泉水との接触時間が短くなり、減温温泉水の酸化還元電位の上昇を抑えることができる。さらには、減温温泉水混入管１５を流れる減温温泉水が減温温泉水冷却用バイパス管３０に流入し、この減温温泉水冷却用バイパス管３０を通過して再び減温温泉水が減温温泉水混入管１５に戻るまでの間に放熱される。そのため、枝条架１８の上に散布される源泉水の量を増やすことで高温化した減温温泉水を冷却することができる。
【００３４】
その結果、何らかの原因によって浴槽１２内の減温温泉水を混入した源泉水の酸化還元電位が高まっても、源泉水の温度を高めることなく、自動的にそれの酸化還元電位を低下させることができる。
その後、酸化還元電位値の値が上記酸化還元電位の上限値以下となった場合には、制御手段３４の指令に基づき、揚水ポンプ２５の出力が通常値に戻り、樋２６から枝条架１８の上に散布される源泉水の量が通常量となる。これと同時に、一対の電動切替え弁３１，３１Ａが、減温温泉水冷却用バイパス管３０を閉じる側へ切り替えられる。
【００３５】
ここで、表１を参照して、本考案の実施例１の気化放型温泉水冷却システムを運転して減温温泉水を混入した源泉水を浴槽に引き湯した場合の酸化還元電位と、従来装置による減温温泉水のみを浴槽に引き湯した場合の酸化還元電位とを対比する実験について報告する。実験は、それぞれ４回ずつ行いその平均値を求めた。
源泉水のｐＨは何れの場合もｐＨ３．５〜３．８で、酸化還元電位計３２の電極には銀・塩化銀電極で測定し、表中の数値はこれを標準水素電極による測定値に換算した値である。表１中には、参考として、湧出口温度が１００℃の源泉水のみを浴槽１２に引き湯した場合の酸化還元電位を記載する。
表１から明らかなように、本考案の場合（平均値５８４ｍＶ）の方が、従来装置の場合（平均値６４０ｍＶ）に比べて酸化還元電位は低い値で維持されており、本考案を実施した効果が確認された。
【００３６】
【表１】
0003198279.tif 000003
【００３７】
本考案の気化放型温泉水冷却システムは、従来の気化放熱型温泉水冷却装置において課題であった温泉水の新鮮さ、すなわち酸化還元電位を低いまま維持することを可能にしたものである。本考案の温泉水冷却システムは、古来より知られる温泉水の効能の根拠である成分濃度を維持しつつ、近年、温泉水の効能の根拠として指摘されはじめた還元力をさほど損なわず、この上質な温泉水を適温で提供できる。
【産業上の利用可能性】
【００３８】
この考案の気化放熱型温泉水冷却システムは、高温かつ大量の温泉水が湧出する火山性温泉水の入浴施設に対する技術として有用である。
【符号の説明】
【００３９】
１０  気化放熱型温泉水冷却システム、
１１  気化放熱型温泉水冷却装置（冷却装置）、
１２  浴槽、
１３  源泉水給湯管（源泉水給湯路）、
１４  湯出口、
１５  減温温泉水混入管（減温温泉水混入路）、
１８  枝条架、
１９  温泉水散布手段、
２０  減温貯湯槽、
３０  減温温泉水冷却用バイパス管（減温温泉水冷却用バイパス路）、
３１，３１Ａ  電動切替え弁（自動切替え弁）、
３２  酸化還元電位計、
３３  記憶部、
３４  制御手段。
【図１】
0003198279.tif 000004
【図２】
0003198279.tif 000005
【図３】
0003198279.tif 000006
【図４】
0003198279.tif 000007